(57)【要約】      （修正有）【課題】複数の墓所を高密度に区割りして、墓地の省スペース化を促進すると共に、各墓所の奥側のみならず左右両側にも低木や芝生を植えることができる緑地スペースを生じさせて、その墓域の緑化を促進し、墓地全体の景観と環境を向上させる。【解決手段】間口側ａから奥側ｂにかけて幅狭となる三角形の墓所３、４、３、４…が、隣接する墓所と間口を逆向きにして一列に並ぶように区割りされると共に、各々が間口側ａと奥側ｂとに二分されて、その間口側ａが墳墓を設置するための建墓ゾーン５とされ、その奥側ｂが低木や芝生等を植えるための緑化ゾーン６とされている墓地の構造。【選択図】図１
0003111853.tif 000002
【実用新案登録請求の範囲】
【請求項１】
複数の墓所が一方向に隣接するように区割りされた墓地の構造において、間口側から奥側にかけて幅狭となる形状を有する複数の墓所が、隣接する墓所と間口を逆向きにして一列に並ぶように区割りされると共に、各々が間口側と奥側とに二分されて、その間口側が建墓ゾーンとされ、奥側が緑化ゾーンとされていることを特徴とする墓地の構造。
【請求項２】
前記墓所が、間口側から奥側にかけて幅狭となる三角形もしくは台形の墓所である請求項１記載の墓地の構造。
【請求項３】
前記墓所が、互いに平行する二つの通路間に沿って一列に並ぶように区割りされると共に、その二つの通路間の中間位置で間口側と奥側とに二分されている請求項１又は２記載の墓地の構造。
【請求項４】
前記建墓ゾーンに、墳墓を構成する墓碑や拝石、納骨室等が設置され、前記緑化ゾーンに、低木もしくは芝生が植えられている請求項１、２又は３記載の墓地の構造。
【考案の詳細な説明】
【技術分野】
【０００１】
本考案は、複数の墓所が一方向に隣接するように区割りされた墓地の構造に関する。
【背景技術】
【０００２】
従来の墓地は、省スペース化のために、例えば図４に示す平面図の如く、互いに平行する二つの通路４１、４２間に沿って、その一方の通路４１に間口が面して一列に並ぶように区割りされた四角形の墓所４３、４３…と、他方の通路４２に間口が面して一列に並ぶように区割りされた四角形の墓所４４、４４…とを互いに背中合わせに設けると共に、墓所４３、４３…の列と墓所４４、４４…の列との境界に沿って、障壁となるコンクリートブロック塀や石塀を設けるか、あるいは密植した低木の生垣４５を設けるのが一般的である。
【０００３】
生垣４５は、墳墓４６を構成する墓碑４７や拝石４８、納骨室等が設置された各墓所４３、４３…及び４４、４４…の奥側に位置してその背景の一部を成すので、その生垣４５を美しい花が咲くバラの生垣にして、墓域の景観を良くし、墓参者に潤いや安らぎを与えるようにする提案もなされている（特許文献１参照）。
【特許文献１】特開平１０−１２１７８２号公報
【０００４】
しかしながら、図４の如く墓所４３、４３…の列と墓所４４、４４…の列との間に生垣４５を設けると、その生垣４５のスペース分だけ墓地全体のスペースが拡大する。また、図４の墓地は、片側の通路４１に沿って互いに隣接する墓所４３及び４３間や、反対側の通路４２に沿って互いに隣接する墓所４４及び４４間の境界には障壁となる生垣や石塀等が設けられていないが、もし、その境界にもバラの生垣等を設けて各墓所４３、、４３…及び４４、４４…の景観をより一層高めようとすれば、墓地全体のスペースが更に拡大して、省スペース化が図れないという問題がある。
【考案の開示】
【考案が解決しようとする課題】
【０００５】
本考案は、墓地の省スペース化を促進するために、複数の墓所を高密度に区割りすることができるようにすると共に、各墓所の奥側のみならず左右両側にも低木や芝生を植えることができる緑地スペースを生じさせて、その墓域の緑化を促進し、墓地全体の景観と環境を向上させることを技術的課題としている。
【課題を解決するための手段】
【０００６】
上記課題を解決するために、本考案は、複数の墓所が一方向に隣接するように区割りされた墓地の構造において、間口側から奥側にかけて幅狭となる形状を有する複数の墓所が、隣接する墓所と間口を逆向きにして一列に並ぶように区割りされると共に、各々が間口側と奥側とに二分されて、間口側が建墓ゾーンとされ、奥側が緑化ゾーンとされていることを特徴とする。
【考案の効果】
【０００７】
本考案によれば、間口側から奥側にかけて幅狭となる形状を有する複数の墓所が、隣接する墓所と間口を逆向きにして一列に並ぶように区割りされることにより、墓所の高密度化と墓地の省スペース化を促進することができるという効果がある。また、隣接する墓所と間口を逆向きにして一列に並ぶように区割りされた各墓所が、間口側と奥側とに二分されて、その間口側が建墓ゾーンとされ、奥側が緑化ゾーンとされることにより、各墓所の左右両側にも、隣接する墓所の緑化ゾーンが存在することとなるので、墓域全体の緑化を促進して墓地の景観と環境を向上させることができるという効果がある。
【考案を実施するための最良の形態】
【０００８】
本考案の最良の実施形態は、間口側から奥側にかけて幅狭となる三角形もしくは台形を成す複数の墓所が、互いに平行する二つの通路間に沿って、隣接する墓所と間口を逆向きにして一列に並ぶように区割りされると共に、当該各墓所が間口側と奥側とに二分されて、その間口側が墳墓を設置する建墓ゾーンとされ、その奥側が低木や芝生などを植える緑化ゾーンとされている。
【実施例】
【０００９】
図１は本考案に係る墓地の一例を示す平面図、図２はその一部を拡大した平面図、図３は本考案に係る墓地の他の例を一部拡大して示す平面図である。
【００１０】
図１及び図２に示す墓地は、互いに平行する二つの通路１及び２間に沿って、間口側ａから奥側ｂにかけて幅狭となる三角形の墓所３、４、３、４…が、一方向に隣接すると同時に、隣接する墓所と間口を逆向きにして一列に並ぶように区割りされている。すなわち、互い違いの三角形をなす複数の墓所３、４、３、４…が一列に並ぶように区割りされている。
【００１１】
そして、各墓所３、４、３、４…は、例えば間口が２４５５ｍｍ、奥行が２４００ｍｍに選定されると共に、鎖線で示す二つの通路１及び２間の中間位置Ｘで間口側ａと奥側ｂとに二分されて、その間口側ａが建墓ゾーン５とされ、奥側ｂが緑化ゾーン６とされている。
【００１２】
これにより、各墓所３（又は墓所４）は、その奥側ｂに緑化ゾーン６が存在するのみならず、その左右両側にも、左右に隣接する墓所４、４（又は墓所３、３）の緑化ゾーン６、６が存在して、間口以外の三方が緑化ゾーン６、６、６で囲われることとなるから、それら緑化ゾーンに低木や芝生などを植えて墓域全体の景観を高め、墓地全体の環境を向上させることができる。特に、各墓所３、４、３、４…の奥側ｂに設けられた緑化ゾーン６を墓地の管理者である霊園が一括して統一管理するようにすれば、その緑化ゾーン６に植えられた低木や芝生の管理も行き届いて、墓地全体の環境がより向上する。
【００１３】
また、三角形の墓所３、４、３、４…を互い違いの三角形をなすように並べることによって高密度に区割りすることができると同時に、低木や芝生などを植えるために別途余計なスペースを確保する必要がないので、墓地の省スペース化も促進することができる
【００１４】
また、各墓所３、４、３、４…の建墓ゾーン５には、墓碑８や拝石９、納骨室等で成る墳墓７が設置されるが、その建墓ゾーン５は、間口に向かって広角的となる台形を成しているので、墳墓７の左右両側に、ガーデニングを楽しんだり、彫刻品を飾ることができる有用な余剰スペース１０Ｒ、１０Ｌを生じさせることも可能である。
【００１５】
なお、各墓所３、４、３、４…は、図１及び図２の如く三角形を成すものに限らず、例えば図３の如く間口側ａから奥側ｂにかけて幅狭となる台形を成すものであってもよい。すなわち、図３の如く、互い違いの台形をなす複数の墓所３、４、３、４…が一列に並ぶように区割りされている場合も、図１及び図２の場合と同様の効果を得ることができる。また、三角形もしくは台形の墓所３、４、３、４…は、そのコーナー部が角張らずに弧状となっているものでもよい。また、通路１、２は、一筋の道を成しているものに限らず、墓所３、４、３、４…の列に沿って墓参者が通行できるようになっているものであればよい。
【図面の簡単な説明】
【００１６】
【図１】本考案に係る墓地の一例を示す平面図
【図２】図１に示す墓地の一部を拡大した平面図
【図３】本考案に係る墓地の一例を一部拡大して示す平面図
【図４】墓地の従来例を示す平面図
【符号の説明】
【００１７】
１    通路
２    通路
３    墓所
４    墓所
５    建墓ゾーン
６    緑化ゾーン
７    墳墓
８    墓碑
９    拝石
ａ    墓所の間口側
ｂ    墓所の奥側
【図１】
0003111853.tif 000003
【図２】
0003111853.tif 000004
【図３】
0003111853.tif 000005
【図４】
0003111853.tif 000006